(57)【要約】【課題】  磁力によって蓋の開閉を制御する容器を提供する。【解決手段】  上部に開口が形成される円筒状の本体を有し、該本体の一側にハンドルが設けられると共に、他側の上縁に注ぎ口が形成され、本体の開口に円盤状の蓋が設けられる容器であって、本体における開口の内側縁に、注ぐ口に対する以外の位置に磁石が設けられ、蓋の直径の両側に前記本体における磁石に吸着できる磁石が設置されることを特徴とする。【選択図】  図１
0003102192.tif 000002
【実用新案登録請求の範囲】
【請求項１】
上部に開口が形成される円筒状の本体を有し、該本体の一側にハンドルが設けられると共に、他側の上縁に注ぎ口が形成され、本体の開口に円盤状の蓋が設けられる容器であって、
本体における開口の内側縁に、注ぐ口に対する以外の位置に磁石が設けられ、蓋の直径の両側に前記本体における磁石に吸着できる磁石が設置されることを特徴とする容器。
【請求項２】
前記本体における開口の内側縁に、注ぐ口に対する９０度、１８０度、２７０度の位置に第一磁石、第二磁石、第三磁石が設けられることを特徴とする請求項１に記載の容器。
【請求項３】
前記本体は二層の構造であることを特徴とする請求項１又は請求項２に記載の容器。
【考案の詳細な説明】
【技術分野】
【０００１】
本考案は、特に磁力によって蓋の開閉を制御する容器に関するものである。
【背景技術】
【０００２】
従来の容器は上に開口が形成される円筒状の本体を有し、該本体の一側にハンドルが設けられると共に、他側の上縁に注ぎ口が形成され、開口に出口を有する円盤状の蓋が設けられることにより、蓋の出口が注ぎ口に合わせる際、本体の内部における液体を注ぎ出すことができ、逆に、蓋の出口が注ぎ口に合わせない際、液体を本体から注ぎ出すことができない
【考案の開示】
【考案が解決しようとする課題】
【０００３】
しかしながら、上記の容器を使用する場合、蓋が開口から落ちる恐れがあり、使用者は手で該蓋を押圧しながら液体を注ぎ出すことができるので、使用上、非常に不便である。
【０００４】
そこで、案出されたのが本考案であって、磁力によって蓋の開閉を制御する容器を提供することを目的としている。
【課題を解決するための手段】
【０００５】
本願の請求項１の考案は、上部に開口が形成される円筒状の本体を有し、該本体の一側にハンドルが設けられると共に、他側の上縁に注ぎ口が形成され、本体の開口に円盤状の蓋が設けられる容器であって、本体における開口の内側縁に、注ぐ口に対する以外の位置に磁石が設けられ、蓋の直径の両側に前記本体における磁石に吸着できる磁石が設置されることを特徴とする容器及び、
本願の請求項２の考案は、前記本体における開口の内側縁に、注ぐ口に対する９０度、１８０度、２７０度の位置に第一磁石、第二磁石、第三磁石が設けられることを特徴とする請求項１に記載の容器及び、
本願の請求項３の考案は、前記本体は二層の構造であることを特徴とする請求項１又は請求項２に記載の容器、を提供する。
【考案の効果】
【０００６】
本考案は上記の課題を解決するものであり、蓋における磁石と本体の開口における磁石により、蓋と本体の開口との開閉を制御することができ、又、本体の内部における液体を本体から注ぎだす際、蓋が磁石によって本体と吸着するので、蓋は本体から落ちることを防止でき、使用上、非常に便利である。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る容器の斜視図であり、図２は本考案に係る容器の分解斜視図であり、図３は本考案に係る容器の蓋を磁力によって封閉させる状態を示す断面図であり、図４は本考案に係る容器の蓋を磁力によって封閉せず状態を示す斜視図であり、図５は本考案に係る容器の蓋を磁力によって封閉せず状態を示す断面図であり、図６は本考案に係る容器の使用中、蓋を開ける状態を示す断面図であり、図７は本考案に係る容器の他の実施例を示す斜視図である。
【０００９】
図１及び図２に示すように、本考案は、上部に開口（１００）が形成される円筒状の本体（１０）を有し、該本体（１０）の一側にハンドル（１０１）が設けられると共に、他側の上縁に注ぎ口（１０２）が形成され、本体（１０）の開口（１００）に円盤状の蓋（２０）が設けられる容器であって、
本体（１０）における開口（１０）の内側縁に、注ぐ口（１０２）に対する９０度、１８０度、２７０度の位置に第一磁石（１１）、第二磁石（１２）、第三磁石（１３）が設けられ、蓋（２０）の直径の両側に前記本体（１０）における第一磁石（１１）と第二磁石（１２）と第三磁石（１３）に吸着できる磁石（２１）が設置されることにより、蓋（２０）の開閉を制御する。
【００１０】
図３に示すように、蓋（２０）が本体（１０）の開口（１００）を封閉する場合、蓋（２０）における二つの磁石（２１）が本体（１０）の開口（１００）における第一磁石（１１）と第三磁石（１３）に相互に吸着されることにより、本体（１０）の内部における液体（符号なし）を本体（１０）から注ぎ出すことができない。
【００１１】
又、図４及び図５に示すように、蓋（２０）における一つの磁石（２１）は本体（１０）の開口（１００）における第二磁石（１２）に吸着する際、蓋（２０）における他の磁石（２１）は本体（１０）に吸着しないので、本体（１０）の内部における液体（符号なし）を本体（１０）から注ぎ出すことができる。
【００１２】
図６に示すように、液体を本体（１０）から注ぐ出す場合、使用者は本体（１０）のハンドル（１０１）を持ち、本体（１０）の注ぎ口（１０２）を下方へ回転させ、この際、液体が本体（１０）と吸着しない蓋（２０）の一端を衝撃すると共に、該端が本体（１０）の開口（１００）から離れることにより、本体（１０）の内部における液体を注ぎ口（１０２）から注ぎ出すことができ、又、蓋（２０）は磁石（２１）によって本体（１０）の開口（１００）における第二磁石（１２）に吸着されるので、蓋（２０）は本体（１０）の開口（１００）から落ちることがしない。
【００１３】
更に、図７に示すように、本考案に係る容器の他の実施例は前記実施例と殆ど等しく、異なるのは、本体（１０）における開口（１００）の内側縁に切欠け（１４０）を有するＣ字形の磁石（１４）が設置され、該切欠け（１４０）が本体（１０）の上縁における注ぎ口（１０２）に合わせる。これにより、蓋（２０）が開口（１００）を封閉する場合、蓋（２０）における二つの磁石（２１）が本体（１０）の開口（１００）におけるＣ字形の磁石（１４）と吸着されるので、本体（１０）の内部における液体（符号なし）を本体（１０）から注ぎ出すことができない。一方、蓋（２０）における一つの磁石（２１）は本体（１０）の開口（１００）におけるＣ字形の磁石（１４）に吸着すると共に、蓋（２０）における他の磁石（２１）は切欠け（１４０）に合わせる際、二つの磁石（２１）が本体（１０）と吸着しないので、本体（１０）の内部における液体（符号なし）を本体（１０）から注ぎ出すことができる。
【００１４】
又、本考案に係る容器の本体（１０）は二層又は単層の構造であり、二層の本体（１０）構造が望ましい。
【産業上の利用可能性】
【００１５】
本考案は上記の構成を有するので、蓋における磁石と本体の開口における磁石により、蓋と本体の開口との開閉を制御することができ、又、本体の内部における液体を本体から注ぎだす際、蓋が磁石によって本体と吸着するので、蓋は本体から落ちることを防止でき、使用上、非常に便利である。
【図面の簡単な説明】
【００１６】
【図１】本考案に係る容器の斜視図である。
【図２】本考案に係る容器の分解斜視図である。
【図３】本考案に係る容器の蓋を磁力によって封閉させる状態を示す断面図である。
【図４】本考案に係る容器の蓋を磁力によって封閉せず状態を示す斜視図である。
【図５】本考案に係る容器の蓋を磁力によって封閉せず状態を示す断面図である。
【図６】本考案に係る容器の使用中、蓋を開ける状態を示す断面図である。
【図７】本考案に係る容器の他の実施例を示す斜視図である。
【符号の説明】
【００１７】
１０        本体
１００      開口
１０１      ハンドル
１０２      注ぎ口
１１        第一磁石
１２        第二磁石
１３        第三磁石
１４        磁石
１４０      切欠き
【図１】
0003102192.tif 000003
【図２】
0003102192.tif 000004
【図３】
0003102192.tif 000005
【図４】
0003102192.tif 000006
【図５】
0003102192.tif 000007
【図６】
0003102192.tif 000008
【図７】
0003102192.tif 000009